(57)【要約】【課題】ユーザーが食事を摂取したか否かを把握し、食後の薬剤の飲み忘れを抑制するとともに、ユーザーが食後に服薬したか否かを把握することが可能な生活管理システム等を提供する。【解決手段】服薬管理システムは、ユーザー端末と、サーバーとを含む。ユーザー端末は、ユーザーの血液中の第１成分の濃度を検出してユーザーが食事を摂取したか否かを判定し、ユーザーが食事を摂取したと判定された場合に、その旨を通知する第１通知情報をサーバーに送信する。サーバーは、第１通知情報に基づいて、ユーザーが服用すべき薬剤に関する第２通知情報をユーザー端末に送信し、ユーザー端末は、第２通知情報に基づいて、ユーザーに対して服薬を促す報知を行い、ユーザーが薬剤とともに摂取した血液中の第２成分の濃度とを検出してユーザーが服薬したか否かを判定し、ユーザーが服薬したと判定された場合に、その旨を通知する第３通知情報をサーバーに送信する。【選択図】図１
2017107312.tif 000002
【特許請求の範囲】
【請求項１】
ユーザー端末と、前記ユーザー端末とネットワークを介して接続されるサーバーと、を含む服薬管理システムであって、
前記ユーザー端末は、
ユーザーの血液中の第１成分の濃度と、前記ユーザーが薬剤とともに摂取した血液中の第２成分の濃度とを検出する検出部と、
前記検出部で検出された前記第１成分の濃度に基づいて、前記ユーザーが食事を摂取したか否かを判定する判定部と、
前記ユーザーが食事を摂取したと判定された場合に、その旨を通知する第１通知情報を前記サーバーに送信する通信部と、を含み、
前記サーバーは、
前記第１通知情報に基づいて、前記ユーザーが服用すべき薬剤に関する第２通知情報を前記ユーザー端末に送信し、
前記ユーザー端末は、
前記第２通知情報に基づいて、前記ユーザーに対して服薬を促す報知を行う報知部を更に含み、
前記判定部は、
前記検出部で検出された前記第２成分の濃度に基づいて、前記ユーザーが服薬したか否かを判定し、
前記通信部は、
前記ユーザーが服薬したと判定された場合に、その旨を通知する第３通知情報を前記サーバーに送信する、服薬管理システム。
【請求項２】
請求項１において、
前記検出部は、光源と、分光器と、受光素子とを有する分光センサーである、服薬管理システム。
【請求項３】
請求項１又は２において、
前記第１成分は、Ｄ−グルコースであり、前記第２成分は、Ｄ−グルコースと分光スペクトルで識別可能な糖である、服薬管理システム。
【請求項４】
請求項３において、
前記第２成分は、Ｄ−プシコース、キシリトール、Ｄ−リボースのうちの少なくとも１つを含む希少糖を含む、服薬管理システム。
【請求項５】
請求項１乃至４のいずれか１項において、
前記第２成分は、前記ユーザーが薬剤とともに摂取する服薬補助剤に含まれる、服薬管理システム。
【請求項６】
請求項５において、
前記服薬補助剤は、寒天、ガラギナン、ゼラチン、ペクチン、ジェランガム、ファーセレラン、カードラン、ローカストビ−ガム、タラガム、ガアーガム、キサンタンガム、アルギン酸、アルギン酸塩、アゾトバクタ−ビネランジガム、カシアガム、サイリュームシードガム、タマリンドガム、ＣＭＣＮａ、乳清蛋白、澱粉、化工澱粉のうちの少なくとも１つを含む糊料である、服薬管理システム。
【請求項７】
請求項５又は６において、
前記服薬補助剤は、２０℃における粘度が１０００〜２５０００Ｐａ・ｓｅｃである、服薬管理システム。
【請求項８】
サーバーとネットワークを介して接続されるユーザー端末であって、
ユーザーの血液中の第１成分の濃度と、前記ユーザーが薬剤とともに摂取した血液中の第２成分の濃度とを検出する検出部と、
前記検出部で検出された前記第１成分の濃度に基づいて、前記ユーザーが食事を摂取したか否かを判定する判定部と、
前記ユーザーが食事を摂取したと判定された場合に、その旨を通知する第１通知情報を前記サーバーに送信し、前記ユーザーが服用すべき薬剤に関する第２通知情報を前記サーバーから受信する通信部と、
前記第２通知情報に基づいて、前記ユーザーに対して服薬を促す報知を行う報知部と、を含み、
前記判定部は、
前記検出部で検出された前記第２成分の濃度に基づいて、前記ユーザーが服薬したか否かを判定し、
前記通信部は、
前記ユーザーが服薬したと判定された場合に、その旨を通知する第３通知情報を前記サーバーに送信する、ユーザー端末。
【請求項９】
ユーザー端末とネットワークを介して接続されるサーバーであって、
ユーザーが食事を摂取したことを通知する第１通知情報を前記ユーザー端末から受信し、前記第１通知情報に基づいて、前記ユーザーが服用すべき薬剤に関する第２通知情報を前記ユーザー端末に送信する通信部を含み、
前記ユーザー端末は、
前記ユーザーの血液中の第１成分の濃度と、前記ユーザーが薬剤とともに摂取した血液中の第２成分の濃度とを検出し、
検出された前記第１成分の濃度に基づいて、前記ユーザーが食事を摂取したか否かを判定し、
前記ユーザーが食事を摂取したと判定された場合に、前記第１通知情報を前記サーバーに送信し、
前記第２通知情報に基づいて、前記ユーザーに対して服薬を促す報知を行い、
検出された前記第２成分の濃度に基づいて、前記ユーザーが服薬したか否かを判定し、
前記ユーザーが服薬したと判定された場合に、その旨を通知する第３通知情報を前記サーバーに送信する、サーバー。
【発明の詳細な説明】
【技術分野】
【０００１】
本発明は、服薬管理システム、ユーザー端末及びサーバーに関する。
【背景技術】
【０００２】
特許文献１には、ユーザーから計測される情報に基づいて、ユーザーが食事をしていることを検知し、ユーザーに薬剤の服用を促すために報知することが記載されている。また、特許文献２には、薬箱に取り付けられた薬箱開閉センサーと、薬箱閉時間を記憶する手段と、薬箱閉時刻を報知する手段を有する服薬確認支援装置が記載されている。
【先行技術文献】
【特許文献】
【０００３】
【特許文献１】特開２００３−１７３３７５号公報
【特許文献２】特許３３０８９７２号公報
【発明の概要】
【発明が解決しようとする課題】
【０００４】
特許文献１に記載の生活管理システムでは、脈拍と皮膚導電率を計測し、脈拍の上昇、発汗等により食事中であるかどうかを判断していが、汗のかき易さには個人差があり、脈拍や皮膚導電率によって食事中であるかどうかを判定することは容易ではない。また、特許文献２に記載の服薬確認支援装置では、薬を飲んだことの確認は行えるものの、薬の飲み忘れを解消することはできない。
【０００５】
本発明のいくつかの態様に係る目的の１つは、ユーザーが食事を摂取したか否かを把握し、食後の薬剤の飲み忘れを抑制するとともに、ユーザーが食後に服薬したか否かを把握することが可能な服薬管理システム、ユーザー端末及びサーバーを提供することにある。
【課題を解決するための手段】
【０００６】
本発明は前述の課題の少なくとも一部を解決するためになされたものであり、以下の態様又は適用例として実現することができる。
【０００７】
（１）本発明に係る服薬管理システムの一態様は、ユーザー端末と、前記ユーザー端末とネットワークを介して接続されるサーバーと、を含む服薬管理システムであって、前記ユーザー端末は、ユーザーの血液中の第１成分の濃度と、前記ユーザーが薬剤とともに摂取した血液中の第２成分の濃度とを検出する検出部と、前記検出部で検出された前記第１成分の濃度に基づいて、前記ユーザーが食事を摂取したか否かを判定する判定部と、前記ユーザーが食事を摂取したと判定された場合に、その旨を通知する第１通知情報を前記サーバーに送信する通信部と、を含み、前記サーバーは、前記第１通知情報に基づいて、前記ユーザーが服用すべき薬剤に関する第２通知情報を前記ユーザー端末に送信し、前記ユーザー端末は、前記第２通知情報に基づいて、前記ユーザーに対して服薬を促す報知を行う報知部を更に含み、前記判定部は、前記検出部で検出された前記第２成分の濃度に基づいて、前記ユーザーが服薬したか否かを判定し、前記通信部は、前記ユーザーが服薬したと判定された場合に、その旨を通知する第３通知情報を前記サーバーに送信する。
【０００８】
このような服薬管理システムでは、ユーザー端末において、血液中の第１成分の濃度を検出してユーザーが食事を摂取したか否かを判定し、ユーザーが食事を摂取したと判定された場合に、その旨を通知する第１通知情報をサーバーに送信することで、ユーザーが食事を摂取したか否かを把握することができる。また、サーバーにおいて、第１通知情報に基づいてユーザーが服用すべき薬剤に関する第２通知情報をユーザー端末に送信し、ユーザー端末において、第２通知情報に基づいて、ユーザーに対して服薬を促す報知し、ユーザーが薬剤とともに摂取した血液中の第２成分の濃度とを検出してユーザーが服薬したか否かを判定し、ユーザーが服薬したと判定された場合に、その旨を通知する第３通知情報をサーバーに送信することで、食後の薬剤の飲み忘れを抑制するとともに、ユーザーが食後に服薬したか否かを把握することができる。
【０００９】
（２）本発明に係る服薬管理システムにおいて、前記検出部は、光源と、分光器と、受光素子とを有する分光センサーであってもよい。
【００１０】
このような服薬管理システムでは、ユーザーが食事を摂取したか否かと、ユーザーが食後に服薬したか否かを正確に判定することができる。
【００１１】
（３）本発明に係る服薬管理システムにおいて、前記第１成分は、Ｄ−グルコースであり、前記第２成分は、Ｄ−グルコースと分光スペクトルで識別可能な糖であってもよい。
【００１２】
このような服薬管理システムでは、ユーザーが食事を摂取したか否かと、ユーザーが食後に服薬したか否かを正確に判定することができる。
【００１３】
（４）本発明に係る服薬管理システムにおいて、前記第２成分は、Ｄ−プシコース、キシリトール、Ｄ−リボースのうちの少なくとも１つを含む希少糖を含んでもよい。
【００１４】
このような服薬管理システムでは、ユーザーが食事を摂取したか否かと、ユーザーが食後に服薬したか否かを正確に判定することができる。
【００１５】
（５）本発明に係る服薬管理システムにおいて、前記第２成分は、前記ユーザーが薬剤とともに摂取する服薬補助剤に含まれていてもよい。
【００１６】
このような服薬管理システムでは、ユーザーが薬剤を摂取し易くすることができる。
【００１７】
（６）本発明に係る服薬管理システムにおいて、前記服薬補助剤は、寒天、ガラギナン、ゼラチン、ペクチン、ジェランガム、ファーセレラン、カードラン、ローカストビ−ガム、タラガム、ガアーガム、キサンタンガム、アルギン酸、アルギン酸塩、アゾトバクタ−ビネランジガム、カシアガム、サイリュームシードガム、タマリンドガム、ＣＭＣＮａ、乳清蛋白、澱粉、化工澱粉のうちの少なくとも１つを含む糊料であってもよい。
【００１８】
このような服薬管理システムでは、ユーザーが薬剤を摂取し易くすることができる。
【００１９】
（７）本発明に係る服薬管理システムにおいて、前記服薬補助剤は、２０℃における粘度が１０００〜２５０００Ｐａ・ｓｅｃであってもよい。
【００２０】
このような服薬管理システムでは、ユーザーが薬剤を摂取し易くすることができる。
【００２１】
（８）本発明に係るユーザー端末の一態様は、サーバーとネットワークを介して接続されるユーザー端末であって、ユーザーの血液中の第１成分の濃度と、前記ユーザーが薬剤とともに摂取した血液中の第２成分の濃度とを検出する検出部と、前記検出部で検出された前記第１成分の濃度に基づいて、前記ユーザーが食事を摂取したか否かを判定する判定部と、前記ユーザーが食事を摂取したと判定された場合に、その旨を通知する第１通知情報を前記サーバーに送信し、前記ユーザーが服用すべき薬剤に関する第２通知情報を前記サーバーから受信する通信部と、前記第２通知情報に基づいて、前記ユーザーに対して服薬を促す報知を行う報知部と、を含み、前記判定部は、前記検出部で検出された前記第２成分の濃度に基づいて、前記ユーザーが服薬したか否かを判定し、前記通信部は、前記ユーザーが服薬したと判定された場合に、その旨を通知する第３通知情報を前記サーバーに送信する。
【００２２】
このようなユーザー端末では、血液中の第１成分の濃度を検出してユーザーが食事を摂取したか否かを判定し、ユーザーが食事を摂取したと判定された場合に、その旨を通知する第１通知情報をサーバーに送信することで、ユーザーが食事を摂取したか否かを把握することができる。また、ユーザーが服用すべき薬剤に関する第２通知情報をサーバーから受信し、第２通知情報に基づいて、ユーザーに対して服薬を促す報知し、ユーザーが薬剤とともに摂取した血液中の第２成分の濃度とを検出してユーザーが服薬したか否かを判定し、ユーザーが服薬したと判定された場合に、その旨を通知する第３通知情報をサーバーに送信することで、食後の薬剤の飲み忘れを抑制するとともに、ユーザーが食後に服薬したか否かを把握することができる。
【００２３】
（９）本発明に係るサーバーの一態様は、ユーザー端末とネットワークを介して接続されるサーバーであって、ユーザーが食事を摂取したことを通知する第１通知情報を前記ユーザー端末から受信し、前記第１通知情報に基づいて、前記ユーザーが服用すべき薬剤に関する第２通知情報を前記ユーザー端末に送信する通信部を含み、前記ユーザー端末は、前記ユーザーの血液中の第１成分の濃度と、前記ユーザーが薬剤とともに摂取した血液中の第２成分の濃度とを検出し、検出された前記第１成分の濃度に基づいて、前記ユーザーが食事を摂取したか否かを判定し、前記ユーザーが食事を摂取したと判定された場合に、前記第１通知情報を前記サーバーに送信し、前記第２通知情報に基づいて、前記ユーザーに対して服薬を促す報知を行い、検出された前記第２成分の濃度に基づいて、前記ユーザーが服薬したか否かを判定し、前記ユーザーが服薬したと判定された場合に、その旨を通知する第３通知情報を前記サーバーに送信する。
【００２４】
このようなサーバーでは、ユーザーが食事を摂取したことを通知する第１通知情報をユーザー端末から受信することで、ユーザーが食事を摂取したか否かを把握することができる。また、第１通知情報に基づいてユーザーが服用すべき薬剤に関する第２通知情報をユーザー端末に送信し、ユーザーが服薬したことを通知する第３通知情報をユーザー端末から受信することで、食後の薬剤の飲み忘れを抑制するとともに、ユーザーが食後に服薬したか否かを把握することができる。
【図面の簡単な説明】
【００２５】
【図１】本実施形態に係る服薬管理システムの全体構成を示す図である。
【図２】ユーザー端末の構成を示すブロック図である。
【図３】検出部を有する計測機器の一例を示す断面図である。
【図４】サーバーの構成を示すブロック図である。
【図５】第１成分と第２成分の血中濃度の変化を示す図である。
【図６】薬剤の服用について説明するための図である。
【図７】ユーザー端末の動作例を示すフローチャートである。
【図８】サーバーの動作例を示すフローチャートである。
【発明を実施するための形態】
【００２６】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２７】
図１は、本実施形態に係る服薬管理システムの全体構成を示す図である。服薬管理システム１は、ユーザー端末１０及びサーバー２０を含んで構成されている。ユーザー端末１０及びサーバー２０は、通信ネットワーク３０を介して通信可能に構成されている。通信ネットワーク３０は、有線通信であっても、無線通信であっても、これらの組み合わせであってもよい。
【００２８】
図２は、ユーザー端末１０の構成を示すブロック図である。ユーザー端末１０は、検出部１１、判定部１２、報知部１３、通信部１４を含む。図２に示される各機能ブロックの少なくとも一部は、ＣＰＵ（プロセッサー）によって実行されるプログラムで実現されていてもよい。
【００２９】
検出部１１は、血液中の特定の成分の濃度を非侵襲で検出するセンサーであり、第１成分の血中濃度と、ユーザーが薬剤とともに摂取した第２成分の血中濃度とを検出する。第１成分は、Ｄ−グルコースである。また、第２成分は、Ｄ−グルコースと分光スペクトルで識別可能（区別可能）な糖であり、例えば、Ｄ−プシコース、キシリトール、Ｄ−リボースのうちの少なくとも１つを含む希少糖である。検出部１１は、１つのセンサーにより第１成分の血中濃度と第２成分の血中濃度を検出してもよいし、第１成分の血中濃度を検出するセンサーと第１成分の血中濃度を検出するセンサーとを有していてもよい。
【００３０】
判定部１２は、検出部１１で検出された第１成分の濃度に基づいて、ユーザー（患者）が食事を摂取したか否かを判定する。また、判定部１２は、検出部で検出された第２成分の濃度に基づいて、ユーザーが服薬したか否かを判定する。
【００３１】
通信部１４は、通信ネットワーク３０を介してサーバー２０との間で情報の送受信を行う。通信部１４は、判定部１２によってユーザーが食事を摂取したと判定された場合に、その旨を通知する第１通知情報を個人識別情報に関連付けてサーバー２０に送信する。また、通信部１４は、判定部１２によってユーザーが服薬したと判定された場合に、その旨を通知する第３通知情報を個人識別情報に関連付けてサーバー２０に送信する。また、通信部１４は、ユーザーが服用すべき薬剤に関する第２通知情報をサーバー２０から受信する。
【００３２】
報知部１３は、通信部１４によって受信された第２通知情報に基づいて、ユーザーに対して服薬を促す報知を行う。報知部１３は、音声を音出力部（スピーカー）に出力することで報知してもよいし、光源（ＬＥＤ等）を発光させることで報知してもよいし、表示部（ディスプレイ）に画像を表示させることで報知してもよいし、これらの組み合わせにより報知してもよい。
【００３３】
ユーザー端末１０を、検出部１１、判定部１２及び報知部１３を有する（検出部１１、判定部１２及び報知部１３として機能する）計測機器と、通信部１４を有する（通信部１４として機能する）情報処理端末（スマートフォン、携帯電話、ＰＣ等）とにより構成してもよい。なお、情報処理端末が判定部１２や報知部１３としても機能するように構成してもよい。
【００３４】
図３は、検出部１１を有する計測機器の一例を示す断面図である。計測機器１１０は、ユーザーの手首に装着される腕時計である。計測機器１１０は、外装ケース１１１を備えている。外装ケース１１１の表面側の開口には、表面ガラス１１２が取り付けられ、外装ケース１１１の裏面側の開口には、裏面ガラス１１３が取り付けられている。表面ガラス１１２の下部には、時刻等を表示する表示部１１４（液晶ディスプレイ等）、回路基板１１５、通信モジュール等が配置されている。
【００３５】
また、裏面ガラス１１３の上部には、第１成分及び第２成分の血中濃度を検出する分光センサー（検出部１１の一例）が配置されている。分光センサーは、光源１１６と、分光器１１７と、受光素子１１８とを有する。光源１１６としては、可視又は近赤外の波長を有する光を発光するＬＥＤ等を採用できる。分光器１１７としては、ファブリペロー型波長可変エタロン等を採用できる。分光センサーは、光源１１６からの光をユーザーの手首表面ＳＦに照射し、手首の血管やその周辺部に存在する第１成分（グルコース）や第２成分（希少糖）からの反射光を、分光器１１７で分光して受光素子１１８で受光する。グルコースや希少糖は分子が持つ特有のスペクトル（吸収スペクトル）を有しており、それらのスペクトルの違いから分子を特定してそれぞれの血中濃度を検出することができる。
【００３６】
図４は、サーバー２０の構成を示すブロック図である。サーバー２０は、記憶部２１、通信部２２を含む。図４に示される各機能ブロックの少なくとも一部は、ＣＰＵ（プロセッサー）によって実行されるプログラムで実現されていてもよい。
【００３７】
記憶部２１は、薬の処方情報と食事履歴情報と服薬履歴情報とを個人識別情報と関連付けて記憶する。薬の処方情報は、例えば、薬の種類、数量、服薬タイミング（朝、昼、夜、食前、食後、就寝前等）、服薬日数等に関する情報を含む。食事履歴情報は、ユーザーの食事の摂取の有無、食事を摂取した時刻（食事時刻）等に関する履歴情報を含み、服薬履歴情報は、ユーザーの服薬の有無、服薬した時刻（服用時刻）等に関する履歴を含む。
【００３８】
通信部２２は、通信ネットワーク３０を介してユーザー端末１０（患者の端末）や他の端末（医師、看護師、介護福祉士等の端末）との間で情報の送受信を行う。通信部２２は、ユーザー端末１０から受信した第１通知情報に基づいて、第２通知情報をユーザー端末１０に送信する。記憶部２１に記憶された食事履歴情報は、ユーザー端末１０から受信した第１通知情報に基づき更新され、記憶部２１に記憶された服薬履歴情報は、ユーザー端末１０から受信した第３通知情報に基づき更新される。また、記憶部２１に記憶された薬の処方情報は、他の端末（例えば、医師の端末）から受信した薬の処方情報に基づき更新される。
【００３９】
図５は、第１成分と第２成分の血中濃度の変化を示す図である。ユーザー（患者）は、計測機器１１０を装着し、食事を摂取する。すると、食事で摂取した淡水化物や糖質が体内で分化されてグルコースとなり、血糖値（第１成分の血中濃度Ｌ１）が上昇する。計測機器１１０は、第１成分の血中濃度Ｌ１を検出し、血中濃度Ｌ１が所定の閾値Ｔ１を超えた場合に、ユーザーが食事を摂取したと判定し、その旨を通知する第１通知情報を無線通信により情報処理端末に送信する。情報処理端末は、計測機器１１０から受信した第１通知情報をサーバー２０に送信（転送）する。サーバー２０は、第１通知情報を受信すると、ユーザーの薬の処方情報を照合して、ユーザーが食後に服用すべき薬剤がある場合には、その旨を通知する第２通知情報を情報処理端末に送信する。また、サーバー２０は、第１通知情報に基づいてユーザーの食事履歴情報を更新する。情報処理端末は、サーバー２０から受信した第２通知情報を計測機器１１０に送信（転送）し、計測機器１１０は、第２通知情報を受信すると、ユーザーに対して服薬を促す報知を行う。
【００４０】
ユーザーは、服薬時間であることを計測機器１１０による報知で確認し、所定の薬剤を服薬補助剤（服薬ゼリー）とともに服用する。図６（Ａ）に示すように、１回に服用する分の薬剤ＭＤと服薬補助剤ＴＨは包装材ＷＭでパッケージされている。包装材ＷＭは、薬剤ＭＤと服薬補助剤ＴＨを互いに隔離して収容する。ユーザーが包装材ＷＭの両端を持って服薬補助剤ＴＨが収容された部分を持ち上げるように折り畳むと、包装材ＷＭの各収容部の底面ＢＰが破けて薬剤ＭＤと服薬補助剤ＴＨが外部に排出される。図６（Ｂ）は、薬剤ＭＤと服薬補助剤ＴＨをスプーンＳＰ上に排出した場合を示す図である。図６（Ｂ）に示すように、薬剤ＭＤと服薬補助剤ＴＨはスプーンＳＰ上で適度に混ざり合った状態となり、服薬補助剤ＴＨの適度な粘性により、嚥下機能が低下しているユーザーであっても、薬剤ＭＤを滑らかに（薬剤ＭＤが口の中に引っ掛かることなく）飲み込むことができる。このように、薬剤ＭＤと服薬補助剤ＴＨを１つの包装材ＷＭにまとめておくことで、手間を掛けずに薬剤ＭＤとともに服薬補助剤ＴＨを摂取することができ、また、薬剤ＭＤを摂取し易くすることができる。
【００４１】
服薬補助剤ＴＨとしては、寒天、ガラギナン、ゼラチン、ペクチン、ジェランガム、ファーセレラン、カードラン、ローカストビ−ガム、タラガム、ガアーガム、キサンタンガム、アルギン酸、アルギン酸塩、アゾトバクタ−ビネランジガム、カシアガム、サイリュームシードガム、タマリンドガム、ＣＭＣＮａ、乳清蛋白、澱粉、化工澱粉のうちの少なくとも１つを含む糊料を採用することができる。また、服薬補助剤ＴＨは、２０℃における粘度が１０００〜２５０００Ｐａ・ｓｅｃ（パスカル秒）であることが望ましい。
【００４２】
服薬補助剤ＴＨには、第１成分（グルコース）と分光的に区別可能な第２成分（Ｄ−プシコース等の希少糖）が含まれている。なお、第２成分は通常の食事にも少量ながら含まれているため、グルコースと区別可能な程度の量の希少糖を服薬補助剤ＴＨに含有させておく必要がある。
【００４３】
ユーザーが服薬補助剤ＴＨをとともに薬剤ＭＤを服用すると、第２成分の血中濃度Ｌ２が上昇する（図５参照）。計測機器１１０は、第２成分の血中濃度Ｌ２を検出し、血中濃度Ｌ２が所定の閾値Ｔ２を超えた場合に、ユーザーが薬剤を服用（服薬）したと判定し、その旨を通知する第３通知情報を情報処理端末に送信する。情報処理端末は、計測機器１１０から受信した第３通知情報をサーバー２０に送信（転送）する。サーバー２０は、情報処理端末から受信した第３通知情報に基づいてユーザーの服薬履歴情報を更新する。サーバー２０には、他の端末からもアクセス可能であり、医師、看護師、介護福祉士等は、ユーザー（患者）の薬の処方情報や食事履歴情報、服薬履歴情報を閲覧することができる。
【００４４】
図７は、ユーザー端末１０の動作例を示すフローチャートである。判定部１２は、検出部１１（分光センサー）で検出された第１成分の血中濃度Ｌ１を取得し（ステップＳ１０）、取得した血中濃度Ｌ１に基づいて、ユーザーが食事を摂取したか（血中濃度Ｌ１が所定の閾値Ｔ１を超えたか）否かを判断する（ステップＳ１２）。ここで、ユーザーの食事前と食事後の第１成分の血中濃度Ｌ１を予め計測しておき、計測した値に基づき閾値Ｔ１を設定してもよい。ユーザーが食事を摂取していない判定した場合（ステップＳ１２のＮ）には、ステップＳ１０に移行する。ユーザーが食事を摂取したと判定した場合（ステップＳ１２のＹ）には、通信部１４は、その旨を通知する第１通知情報を個人識別情報に関連付けてサーバー２０に送信する（ステップＳ１４）。第１通知情報は、ユーザーが食事を摂取した時刻（ユーザーが食事を摂取したと判定した時刻）を含んでもよい。
【００４５】
次に、通信部１４は、ユーザーが服用すべき薬剤に関する第２通知情報をサーバー２０から受信したか否かを判断し（ステップＳ１６）、第２通知情報を受信した場合（ステップＳ１６のＹ）には、報知部１３は、第２通知情報に基づいて、音声、光、表示等によりユーザーに対して服薬を促す報知を行う（ステップＳ１８）。
【００４６】
次に、判定部１２は、検出部１１で検出された第２成分の血中濃度Ｌ２を取得し（ステップＳ２０）、取得した血中濃度Ｌ２に基づいて、ユーザーが服薬したか（血中濃度Ｌ２が所定の閾値Ｔ２を超えたか）否かを判断する（ステップＳ２２）。ここで、ユーザーの服薬補助剤ＴＨの摂取前と摂取後の第２成分の血中濃度Ｌ２を予め計測しておき、計測した値に基づき閾値Ｔ２を設定してもよい。ユーザーが服薬していないと判定した場合（ステップＳ２２のＮ）には、ステップＳ２０に移行する。ユーザーが服薬したと判定した場合（ステップＳ２２のＹ）には、通信部１４は、その旨を通知する第３通知情報を個人識別情報に関連付けてサーバー２０に送信する（ステップＳ２４）。第３通知情報は、ユーザーが服薬した時刻（ユーザーが服薬したと判定した時刻）を含んでもよい。
【００４７】
図８は、サーバー２０の動作例を示すフローチャートである。通信部２２は、第１通知情報及び個人識別情報をユーザー端末１０から受信したか否かを判断する（ステップＳ３０）。第１通知情報及び個人識別情報を受信した場合（ステップＳ３０のＹ）には、サーバー２０は、受信した第１通知情報に基づいて、受信した個人識別情報で特定されるユーザーの食事履歴情報を更新する（ステップＳ３２）。例えば、受信した第１通知情報に含まれる食事時刻を、受信した個人識別情報で特定されるユーザーの食事履歴情報に登録する。
【００４８】
次に、サーバー２０は、受信した個人識別情報で特定されるユーザーの薬の処方情報を参照して、当該ユーザーが食後に服用すべき薬剤があるか（服薬タイミングであるか）否かを判断する（ステップＳ３４）。例えば、受信した第１通知情報に含まれる食事時刻が朝の時間帯である場合、薬の処方情報を参照して、朝食後に服用すべき薬剤があるか否かを判断する。服薬タイミングである場合（ステップＳ３４のＹ）には、薬の処方情報を参照して、ユーザーが服用すべき薬剤に関する第２通知情報をユーザー端末１０に送信する（ステップＳ３６）。第２通知情報は、ユーザーが服用すべき薬剤の種類や量に関する情報を含んでもよい。
【００４９】
次に、通信部２２は、第３通知情報及び個人識別情報をユーザー端末１０から受信したか否かを判断する（ステップＳ３８）。第３通知情報及び個人識別情報を受信した場合（ステップＳ３８のＹ）には、サーバー２０は、受信した第３通知情報に基づいて、受信した個人識別情報で特定されるユーザーの服薬履歴情報を更新する（ステップＳ４０）。例えば、受信した第３通知情報に含まれる服薬時刻を、受信した個人識別情報で特定されるユーザーの服薬履歴情報に登録する。また、サーバー２０は、受信した第３通知情報に基づいて、受信した個人識別情報で特定されるユーザーに処方された薬剤の残数（未服薬の薬剤の数）の記録を更新（減算）してもよい。
【００５０】
また、サーバー２０は、記憶部２１に記憶された薬の処方情報、食事履歴情報及び服薬履歴情報を他の複数の端末（医師、看護師、介護福祉士等の端末）から閲覧可能にする処理を行う。この場合、他の端末は、個人識別情報とアクセス権の認証情報とをサーバー２０に送信し、サーバー２０によってアクセス権が認証された後に、サーバー２０から所定のユーザーの薬の処方情報や食事履歴情報、服薬履歴情報を取得する。
【００５１】
このように、本実施形態の服薬管理システム１では、ユーザー端末１０において、第１成分の血中濃度を検出してユーザーが食事を摂取したか否かを判定し、ユーザーが食事を摂取したと判定された場合に、その旨を通知する第１通知情報をサーバー２０に送信することで、ユーザーが食事を摂取したか否かを把握することができる。また、サーバー２０において、第１通知情報に基づいてユーザーが服用すべき薬剤に関する第２通知情報をユーザー端末に送信し、ユーザー端末１０において、第２通知情報に基づいて、ユーザーに対して服薬を促す報知することで、食後の薬剤の飲み忘れを抑制することができる。更に、ユーザー端末１０において、ユーザーが薬剤とともに摂取した第２成分の血中濃度とを検出してユーザーが服薬したか否かを判定し、ユーザーが服薬したと判定された場合に、その旨を通知する第３通知情報をサーバー２０に送信することで、ユーザーが食後に服薬したか否かを把握することができる。
【００５２】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００５３】
上記実施形態では、第２成分が服薬補助剤に含まれる場合について説明したが、本発明はこれに限られない。例えば、第２成分は薬剤の糖衣に含まれていてもよいし、また、薬剤がカプセル剤である場合、第２成分はカプセル内に充填されていてもよい。
【符号の説明】
【００５４】
１…服薬管理システム、１０…ユーザー端末、１１…検出部、１２…判定部、１３…報知部、１４…通信部、２０…サーバー、２１…記憶部、２２…通信部、３０…通信ネットワーク、１１０…計測機器、１１１…外装ケース、１１２…表面ガラス、１１３…裏面ガラス、１１４…表示部、１１５…回路基板、１１６…光源、１１７…分光器、１１８…受光素子、ＭＤ…薬剤、ＴＨ…服薬補助剤
【図１】
2017107312.tif 000003
【図２】
2017107312.tif 000004
【図３】
2017107312.tif 000005
【図４】
2017107312.tif 000006
【図５】
2017107312.tif 000007
【図６】
2017107312.tif 000008
【図７】
2017107312.tif 000009
【図８】
2017107312.tif 000010